(57)【要約】      （修正有）【課題】耐久性の高い防水性と放熱性を併せて備えるＬＥＤバーライトを提供する。【解決手段】表面は明性フイルム４又は透明板で、裏面は金属基板３とし、中間にプリント基板２にＬＥＤ１を搭載した帯状の発光体を挟み付けるように密着一体化させて、防水性を持たせる。さらに裏面の金属基材を剥き出しにして放熱させる。【選択図】図３
0003189186.tif 000002
【実用新案登録請求の範囲】
【請求項１】
表面が透明フイルム又は透明板であり、裏面は金属基材であり、その中間にプリント基板にLEDを配置した帯状の発光体の３層を密着させ外部からの水分を遮断して、防水性を備へつつ、良好な放熱ができるLEDバーライト。
【請求項２】
裏面の金属基材を被覆しないことで、防水性を備えながら尚且つ良好な放熱性を持たせた、前記請求項１記載のLEDバーライト。
【請求項３】
表面が透明フイルム又は透明板で裏面は金属に溝を掘った板材で,中間にプリント基板にLEDを配置したバーライト、この3層を密着させ、更にバーライトの両端部を樹脂等で封止して防水性を持たせた、前記請求項1記載のLEDバーライト。
【考案の詳細な説明】
【技術分野】
【０００１】
本発明は、LEDバーライトに防水機能と放熱機能を付加して屋外での使用に耐えるよう考案したもので、導光板と組み合わせて面発光板を制作することができる、また、そのまま使うと狭い場所でも発光体取り付けることができるので、従来光が届かなかった場所への照明器具として活用できる。
【背景技術】
【０００２】
近年のLED輝度向上により、導光板の側面から光を入れて、表示板全面を発光させるバーライト方式が、明るくなり実用化が進んできた。
【０００３】
導光板の側面から光を入れて、導光板の片面に光変換機能を持たせたドットプリントの技術が向上して、明るく均一な光が取り出せるようになり、その用途が広がっている。
【０００４】
バーライトに搭載されているLEDを最大限明るくすると発熱する、この発熱を抑える為あらゆる放熱手段が考案されてきた、バーライトの細い帯状でも、片面へ効率よく放熱することで、発光に支障をきたさないことが判明した。
【０００５】
LEDによるバーライトを使用することで、従来使われている外部照明の方式に比べ、非常に少ないエネルギーで同等の機能が発揮できることが判明した。
【考案の概要】
【考案が解決しようとする課題】
【０００６】
バーライトを取り付けるとき、導光板の厚さに合わせてフレームが設けられている。このフレーム内で完全防水することが非常に難しく、屋外で長期間使用する用途に、バーライトは不向きとされていた。  
【０００７】
バーライトの光を効率よく導光板の取り込むため、LEDと導光板の側面が近接している方が望ましい。防水の為の樹脂のカバーなどでは離れてしまうので、光の効率が落ちる。
【０００８】
バーライトの輝度を上げていくと、LEDや電流制御回路が発熱する、バーライト全体を樹脂などで密封すると放熱が出来ず、発光を最大限に発揮することが出来ない。
【０００９】
バーライトの防水と放熱、相反する機能を同時に解決することが求められているが、両者を同時に満足さえる方法は見当たらない、この事がバーライトを使って屋外で使用することの障害となっている。
【課題を解決するための手段】
【００１０】
導光板を取り囲むアルミフレーム（３９）内でバーライトを防水する為、プリント基板（２）を透明フイルム（４）と金属基材（３）で挟み込み密封する。
【００１１】
表面の透明フイルム（４）の片面に透明接着剤（５）を塗布して、接着する。フイルム接着後LEDから放出される光（７）への影響を最小限に抑える。
【００１２】
金属基材（３）の表面には、プリント基板（２）が収納される溝などを設け、フイルムを貼り付ける面を可能な限り凹凸を少なくする。この事で表面から進入してくる水分（８）を透明フイルム（４）で遮断する。
プリント基板が極薄タイプであれば必ずしも金属基材に溝を設けなくても良い。ただ、透明フイルムが密着する面を多くした方が防水効果が上がるため、凹凸を可能な限り少なくすることが望ましい。
【００１３】
表面の透明フイルム（４）と裏面の金属基材（３）及び中間のプリント基板（２）の３者をしっかり密着させる。リード線（６）はフイルムの一部から取り出し、外部へ接続する。透明フイルムからのリード線取り出し口は完全の封止することでバーライトの防水は実現する。
透明フイルムに剛性がある場合は、図３（B）の様にLEDを低くして、透明フイルムと金属フレームを密着させる、バーライトの両端を樹脂で封止して防水する。透明フイルムに代わり透明板を使用しても良い。
【００１４】
LED及び電子部品から発生する熱は、裏面の金属基材（３）に熱伝導する。金属基材は片面は開放されており、更にプリント基板より広い開放部が設けられているので、放熱がスムースに行われる。
【００１５】
このことで、外部からの水分（８）の浸入を表面の透明フイルム（４）で防止して、LED及び電子部品の発熱は裏面の金属基材に伝導して、外部へ放熱する。
水分の浸入を防ぎ、LED及び電子備品の発熱を外部へ放熱してバーライトの点灯に支障がない構造が出来る。
【００１６】
裏面の金属基材（３）は、熱伝導率の高い銅又はアルミニュウム等を用い、放熱をスムースに行う。
【考案の効果】
【００１７】
LEDによるバーライトに防水機能が付くと、今まで使用が難しいとされていた、屋外用表示板に使用可能となる。バーライトを用いた表示板は約１０ｍｍと非常に薄くて軽い。屋外での取り付けではスペースを取らず、使用範囲を広げる。
【００１８】
LEDによるバーライトは使用電力が少ない。蛍光灯の内部照明表示板に比べ約５０％〜８０％の省エネを実現できる。また、寿命は５万時間と長く、蛍光灯のそれと比べ５倍の寿命となる。その分電球交換などの経費が省ける。
【００１９】
バーライトに防水が出来ると、道路標識などの屋外用途が期待される。道路標識は長期間の耐久性が求められており、簡易な防水処理ではその用途には耐えられない。考案の本格的な防水で要求される耐久性を満たすことが出来る。
【００２０】
道路標識などに求められている光の強さは、一般表示板の約２０％〜４０％である。この事は使用される消費電力は非常に少なく、大幅な省エネ効果と長寿命化を実現する。
【図面の簡単な説明】
【００２１】
【図１】図１は防水バーライトの正面図
【図２】図２（A）は防水バーライトの分解図（B）は完成断面図
【図３】図３（A）は防水バーライトの分解図（B）は完成断面図(C)は両端封止樹脂
【図４】図４はバーライトを使用した自発光表示板の断面図
【図５】図５はバーライト使用の表示板
【考案を実施するための形態】
【００２２】
LEDによるバーライトは省エネを実現し、表示板の製造コストを低減させ、薄くて軽いメリットがあり、そのニーズは高い。しかし、屋外で使用するとき防水機能が備わっていない事が普及の障害になっていたがその問題が解決された。
【００２３】
導光板から光拡散板へ移ってくる光を表面にカラーフイルムで覆い，文字やマーク部を抜き取って表現する。カラーフイルムの代わりに、透光性フイルムにインクジェットなどで印刷したものを貼り付けて表示することも出来る。
【００２４】
道路標識などには、カラーフイルムに文字やマークを抜き取って、表示する。道路標識などに必要な光の量は微弱であり、バーライトの低出力レベルで充分使用が可能である。
【００２５】
道路標識などの耐久性は長期間を求められる。簡易な防水加工では長期の防水効果を維持することは困難である。バーライトの表面に透明性フイルムを設けることで、防水性の耐久性は上がり、この用途に耐えることが出来る。
防水性バーライトが実用化されるとき、導光板と光拡散板、反射シートの３層を同じように防水する必要がある。３層ともそれぞれが空気層を入れた隙間を作る必要がある、そして、周囲は完全封止して防水にする必要がある。これら防水性パネルと防水性バーライトの組み合わせで防水表示板が実現する。
【実施例１】
【００２６】
図１は、防水性バーライトの正面図である。中央部に本来のバーライト（２）が収まっている。その周辺に金属基材（３）が取り囲んでおり、バーライトから発生する熱を吸収して、外部へ放熱する。
表面には透明フイルム（４）が貼り付けられており、周りからの水分（８）を遮断して防水性を持たせている。
【００２７】
図２(A)は、表面の透明フイルム（４）と中間のプリント基板（２）と裏面の金属基材（３）の貼り合せ前の分解図である。この３層を密着貼り合せして防水性バーライトを構成する。
(B)は透明フイルム（４）、プリント基板（２）、金属基材（３）の３層を貼り合せした完成図である。外部からの水分（８）を遮断して防水性を持たせている。
併せて、金属基板（３）へ熱伝導（９）が行われ、内部で発生する熱を外部へ放出する働きをしている。
【００２８】
図３（A）は、透明フイルム（４）と中間のプリント基板（２）、金属基材（３）の貼り合せ前分解図である。透明フイルムに剛性があるとLEDと密着しないので、LEDを下げて平滑な状態で金属基材に貼り付ける。
（B）は透明フイルム（４）、中間のプリント基板（２）、金属基材（３）の3層を張り合わせた完成図である、LEDの側面に一部空間が発生するので、バーライトの両端末を樹脂等で封止して防水性を保持する。
図５（B）は、一般表示板の断面図である。表面のカラーフイルム（２６）に抜き文字などの加工を施して表面に貼り付けると、白の部分（２４）とカラーの部分（２６）とのコントラストの差で表示する。
カラーフイルムの代わりにインクジェット印刷フイルムなどを貼りより意匠性を上げることも可能である。
【産業上の利用可能性】
【００２９】
防水性バーライトの開発は産業用にも寄与する。水中及び水分の多いところでの光源として活用できる。また、バーライトの光と導光板との組み合わせで、狭い隙間や設置が難しい箇所への明かりの確保が可能となる。
【００３０】
防水性バーライトは光源部が密封されている、このため溶剤中での発火、爆発の心配が無く、これらの防爆機器光源として活用することが出来る。
【符号の説明】
【００３１】
１    LED
２    プリント基板
３    金属基材
４    透明フイルム
５    透明接着剤
６    リード線
７    LEDの光の方向
８    水分
９    熱の伝導
１０  貼り付ける
１１  電極幹線
１２  電極支線
１３  電流制御回路
１４  エッジライト、両端封止樹脂
２１  LED
２２  導光板
２３  防水バーライト
２４  光拡散板
２５  反射板
２６  カラーフイルム
２７  光変換部
２８  反射光
２９  導光板内を進む光
３０  導光板より前面に進む光
３１  前面に出る白色光
３２  前面に出る色付光
３３  反射シート経由白色光
３４  反射シート経由色付光
３９  金属フレーム
【図１】
0003189186.tif 000003
【図２】
0003189186.tif 000004
【図３】
0003189186.tif 000005
【図４】
0003189186.tif 000006
【図５】
0003189186.tif 000007